(57)【要約】【課題】  縦管内に設置されるガイド板を、複数種類の管径の縦管に対応できるように構成して、流入する下水を受けるに十分な耐久性を確保するとともに、そのガイド板を設置するための作業工数を減らして、加工に要する時間の短縮化、および製造コストの低廉化を図る。【解決手段】  縦管１内の空気芯筒１２の外周面と、縦管本体１１の内周面とを区画して下水の旋回方向を規定するガイド板１５は、空気芯筒１２の側部に設けられたガイド板用スリット１２１に差し込み固定されて形成される。ガイド板１５は、板幅がガイド板設置幅Ｗよりも大きく形成されており、複数本の位置決め溝１５１が凹設されているので、スリット１２１から空気芯筒１２の内側に差し込むガイド板１５の嵌入代によって、ガイド板１５の設置幅Ｗを調整でき、縦管１の複数種類の管径に対して共通のガイド板１５を用いることができる。【選択図】  図２
2007113236.tif 000002
【特許請求の範囲】
【請求項１】
下水が流入する流入管が上側部に接続された縦管本体内に、空気芯筒と螺旋案内路が設けられ、螺旋案内路に沿って下水を螺旋状に流下させる螺旋案内路付き縦管であって、
螺旋案内路の上端部の上方には、空気芯筒の外周面と縦管本体の内周面とを区画して流入する下水の旋回方向を規定するガイド板が、空気芯筒の側部に管軸と平行に設けられたガイド板用スリットに差し込み固定されて配設され、
このガイド板の設置幅は、縦管本体の半径方向に、空気芯筒の外周面から縦管本体の内周面までの範囲とされる一方、ガイド板の板幅は、前記ガイド板設置幅よりも大きく形成されており、前記スリットから空気芯筒の内側に差し込まれるガイド板の嵌入代によってガイド板設置幅を調整可能とされたことを特徴とする螺旋案内路付き縦管。
【請求項２】
ガイド板には、空気芯筒のガイド板用スリットに係合しうる複数本の位置決め溝が長手方向に凹設されていることを特徴とする請求項１に記載の螺旋案内路付き縦管。
【請求項３】
位置決め溝はガイド板の表裏両面に形成されていることを特徴とする請求項２に記載の螺旋案内路付き縦管。
【請求項４】
空気芯筒のガイド板用スリットと、ガイド板の位置決め溝との間には、断面略コ字形状の凹部を有する固定部材が装着されることを特徴とする請求項２または請求項３に記載の螺旋案内路付き縦管。
【発明の詳細な説明】
【技術分野】
【０００１】
本発明は、空気芯筒の外周面に螺旋案内路が設けられた螺旋案内路付き縦管に関する。
【背景技術】
【０００２】
下水道において流域下水道の幹線は、地中の比較的深い位置に計画されていることがあり、関連公共下水道との接続点では高落差接合となる場合がある。このように一つのマンホール内で高落差処理を行う場合には、例えば特許文献１，２に開示されているように、マンホール内に縦管（ドロップシャフト）を配置する方法が採用される。
【０００３】
この種の縦管には、垂直に配設された直管状の縦管本体に対して、下水を螺旋状に旋回させて流下させる螺旋案内路が設けられている。これにより、マンホール内に流入した下水の流下エネルギーを減衰させて、流下した下水によって縦管底部が強い衝撃や荷重を受けるのを避けるとともに、強度を確保することによって底部の摩耗も抑制しうるように形成されている。また、螺旋案内路の軸芯部には、螺旋案内路に案内される下水中に含む空気を上方に排除するために中心筒が設けられている。
【０００４】
このような螺旋案内路付き管では、その上端部に流入する下水が、螺旋案内路に沿って流下する間に減衰される。したがって、マンホールの底部は、流下水の荷重や衝撃によっても破損や摩耗が抑制されるようになっている。
【０００５】
また、例えば特許文献３に開示された縦管においては、空気芯筒の側部に縦管本体内を横断するようにガイド板が設けられており、流入した下水をガイド板に衝突させて流下エネルギーを減衰させるとともに、縦管の周方向に沿って一方向のみに旋回させて、下水を円滑に流下させることができるように構成されている。
【特許文献１】特開平８−４１９４５号公報
【特許文献２】特開２０００−２０５４５７号公報
【特許文献３】特開平１１−２４８０４９号公報
【発明の開示】
【発明が解決しようとする課題】
【０００６】
前記従来例の縦管においては、縦管内にガイド板を設けるには、管径に対応した大きさのガイド板を、いったん空気芯筒の側部に仮固定し、その後、空気芯筒とガイド板の固定部分に繊維強化プラスチック（ＦＲＰ：Fiber Reinforced Plastics）をハンドレイアップ法等によって一体的に積層成形することで固定するという作業がなされていた。
【０００７】
このように縦管の空気芯筒に設けられるガイド板は、縦管や空気芯筒の管径に合わせた個別生産とされることが多く、加工手間がかかって時間もかかるうえ、製造コストがかさむものであった。
【０００８】
そこで本発明は、以上のような問題点にかんがみてなされたものであり、縦管内に設置されるガイド板を、複数種類の管径の縦管に対応できるように構成して、ガイド板を設置するための作業工数を減らし、加工に要する時間の短縮化、および製造コストの低廉化を図って、流入する下水を、騒音や臭気等の発生を抑制しつつ、縦管内を円滑に流下させることのできる螺旋案内路付き縦管を提供しようとするものである。
【課題を解決するための手段】
【０００９】
上記した目的を達成するために本発明は、下水が流入する流入管が上側部に接続された縦管本体内に、空気芯筒と螺旋案内路が設けられ、螺旋案内路に沿って下水を螺旋状に流下させる螺旋案内路付き縦管であって、螺旋案内路の上端部の上方には、空気芯筒の外周面と縦管本体の内周面とを区画して流入する下水の旋回方向を規定するガイド板が、空気芯筒の側部に管軸と平行に設けられたガイド板用スリットに差し込み固定されて配設され、このガイド板の設置幅は、縦管本体の半径方向に、空気芯筒の外周面から縦管本体の内周面までの範囲とされる一方、ガイド板の板幅は、前記ガイド板設置幅よりも大きく形成されており、前記スリットから空気芯筒の内側に差し込まれるガイド板の嵌入代によってガイド板設置幅を調整可能とされたことを特徴としている。
【００１０】
このような発明により、縦管本体の管径にかかわらず共通のガイド板を用いて、空気芯筒にガイド板を配設することが可能になり、ガイド板を縦管の大きさに合わせて個別に製作する必要がなくなる。すなわち、ガイド板をあらかじめ量産することが可能になるので、ガイド板の設置加工に要する時間を短縮化し、製造コストの低廉化を図ることができる。
【００１１】
また、本発明は上記構成の縦管において、ガイド板には、空気芯筒のガイド板用スリットに係合しうる複数本の位置決め溝が長手方向に凹設されていることを特徴としている。さらに具体的には、前記位置決め溝はガイド板の表裏両面に形成されていることが好ましい。このように位置決め溝をガイド板に設けることによって、空気芯筒にガイド板を設置する作業手間が軽減され、容易に加工することが可能になる。
【００１２】
また、本発明では前記構成の縦管において、空気芯筒のガイド板用スリットと、ガイド板の位置決め溝との間には、断面略コ字形状の凹部を有する固定部材が装着されてもよい。これにより、両者の間のがたつきが抑えられ、ガイド板の汎用性を高めることが可能になる。
【発明の効果】
【００１３】
上述のように構成される本発明の螺旋案内路付き縦管によれば、縦管内に設置するガイド板に、流入する下水を受けるに十分な耐久性を確保するとともに、そのガイド板を縦管の大きさに応じて個別に生産しなくても、複数種類の管径を有する縦管本体に対して共通のガイド板を用いることができ、製造コストを低廉化し、作業手間を軽減して加工時間の短縮化を図ることが可能になる。
【発明を実施するための最良の形態】
【００１４】
以下、本発明に係る螺旋案内路付き縦管を実施するための最良の形態について、図面を参照しつつ説明する。
【００１５】
図１〜図４は本発明に係る螺旋案内路付き縦管の一例を示し、図１は縦管の上部の軸方向断面図、図２は図１のＸ−Ｘ線断面図、図３は図１の縦管における空気芯筒およびガイド板を示す側面図、図４は空気芯筒とガイド板との固定部の一例を示す部分断面図である。
【００１６】
図示するように、螺旋案内路付き縦管１は、図示しないマンホール内に設置されて、直管状の縦管本体１１内に空気芯筒１２が設けられている。空気芯筒１２は縦管本体１１の約１／３の口径を有する円筒管であり、縦管本体１１内の上部に、縦管本体１１と同心となるように配設される。この空気芯筒１２の外周面と、縦管本体１１の内周面との間には、螺旋状に形成された案内板１３１が配設されて螺旋案内路１３が形成されている。
【００１７】
縦管本体１１の上端部の、螺旋案内路１３の上端部より上方の位置には、下水を流入させる流入管１４が接続されている。これによって、縦管１に流入した下水は螺旋案内路１３に沿って旋回しながら流れ、これにより縦管１内に渦流を形成する。この渦流の発生により、流入する下水を、汚濁物質を多く含む汚水とあまり含まない汚水とに分離したり、落下エネルギーを減勢させて下水と空気とを分離したりするのを可能にしている。
【００１８】
このような縦管本体１１の材質は特に限定されるものではないが、強度や剛性等の観点から、例えば、硬質塩化ビニル樹脂、ＦＲＰ、ポリカーボネート等の合成樹脂の他に、ＦＲＰとモルタルとの積層体である強化プラスチックモルタル（いわゆるＦＲＰＭ）や、合成樹脂とセメント等との複合材や、鉄筋で補強されたコンクリート等が好適に使用できる。また、空気芯筒１２や螺旋案内路１３の材質は、強度や加工性等の面からはＦＲＰ、あるいは塩化ビニル樹脂を用いて形成されるか、または塩化ビニル樹脂にＦＲＰを積層させて補強を図ったものであることが好ましい。
【００１９】
本発明において縦管１には、螺旋案内路１３の上端部の上方部分において、下水の旋回方向を規定するガイド板１５が、空気芯筒１２の外周面と縦管本体１１の内周面とを区画するように、空気芯筒１２の側部に長手方向に沿って配設されている。
【００２０】
例示の形態において、空気芯筒１２の側部には、軸方向と平行な長手方向に沿って、ガイド板用スリット１２１が形成されている。このスリット１２１は、空気芯筒１２の一端に開口しており、空気芯筒１２の長さが長い場合は、空気芯筒１２の上部と下部に分割されて形成されていてもよい。スリット幅は、ガイド板１５の板厚に対応して形成され、スリット長さもガイド板１５の長さに対応して形成される。
【００２１】
ガイド板１５は、かかる空気芯筒１２のガイド板用スリット１２１に、スリット１２１の開口端側から管軸方向に差し込み固定されて配設される。ガイド板１５が設けられる管軸方向の長さは、縦管１に流入する下水量や流入管１４の口径等によって適宜決定される。
【００２２】
図示するように、ガイド板１５の長手方向の外側縁部には、帯板状の弾性部材１６が、ボルト・ナット等の適宜の止着具１６１を用いて長手方向に沿って装着されている。例示の形態では、流入管１４の流入口１４１に対向して配置されて流入管１４からの下水の流入方向に対面することになるガイド板１５の遮蔽面１５ａ側から、弾性部材１６の端部が延設して固定されている。
【００２３】
このように弾性部材１６が設けられることによって、ガイド板１５が縦管本体内に配設されたとき、弾性部材１６が縦管本体１１の内周面に密着して、両者の間に摩擦抵抗を生じる。これにより、ガイド板１５の遮蔽面１５ａ側に下水流の荷重や衝撃が作用しても、それによって矢符Ｂ方向に押圧されて回転することがないように構成されている。
【００２４】
かかる弾性部材１６には、天然ゴム、ＳＢＲ、ＮＢＲ、ＥＰＤＭ，クロロプレンゴム、ブチルゴム、シリコンゴム等の合成ゴム、またはポリ塩化ビニル、ポリエチレンやポリプロピレン等のポリオレフィン、あるいはポリスチレン等の発泡しうる樹脂の発泡体やポリウレタン発泡体等がその材質として使用されることが好ましい。例示の形態では、弾性部材１６はガイド板１５の下半部に装着されている。
【００２５】
本発明の縦管１においては、ガイド板１５の設置幅Ｗは、縦管本体１１の半径方向に、概ね空気芯筒１２の外周面から縦管本体１１の内周面までの範囲とされる。これに対し、ガイド板１５の板幅は、前記ガイド板１５の設置幅Ｗよりも大きく形成されている。すなわち、空気芯筒１２の口径が縦管本体１１の管径の約１／３であるので、ガイド板１５の設置幅Ｗは縦管本体１１の管径の約１／３とされるが、ガイド板１５の板幅は、この縦管本体１１の管径の約１／３の大きさよりも大きく形成されている。
【００２６】
また、ガイド板１５の遮蔽面１５ａおよびその背面には、空気芯筒１２のスリット１２１に係合しうる複数本の位置決め溝１５１がそれぞれ長手方向に凹設されている。図２に示すように、ガイド板１５の位置決め溝１５１は、空気芯筒１２のスリット１２１に差し込まれる内側縁部から多段的に、所定の間隔で設けられている。
【００２７】
通常、空気芯筒１２は口径が約１００ｍｍ〜５００ｍｍの範囲で形成されたものが用いられており、縦管本体１１の管径に合わせて規格寸法が決められている。したがって、ガイド板１５の設置幅Ｗは、これらの縦管本体１１の管径および空気芯筒１２の口径によって、自ずと決定される。そこで、ガイド板１５に設ける位置決め溝１５１も、これらの規格寸法の関係性に対応させて、例えば１０ｍｍ〜５０ｍｍの適宜の間隔で配列されている。
【００２８】
したがって、ガイド板１５を設置するにあたっては、ガイド板１５に複数本形成された位置決め溝１５１のうちから、縦管本体１１の管径や設置幅Ｗなどの寸法に応じて適用する位置決め溝１５１を選択し、空気芯筒１２のスリット１２１の開口端側から差し込み固定するだけでよい。そして、このようにガイド板１５の設置幅Ｗを、ガイド板１５の嵌入代（しろ）によって縦管本体１１の管径に合うように調整することができるので、共通のガイド板１５で複数種類の管径の縦管本体１１に対応させることが可能になる。
【００２９】
また、このようなガイド板１５は、空気芯筒１２のスリット１２１に差し込み固定されるにあたって、空気芯筒１２のスリット１２１と、ガイド板１５の位置決め溝１５１との間に、固定部材２０が装着されてもよい。
【００３０】
図４に例示するように、固定部材２０は断面略コ字形状の凹部２０１を有し、空気芯筒１２のスリット１２１に嵌め合わされる。また、固定部材２０の凹部２０１の反対側には、ガイド板１５の位置決め溝１５１に嵌合しうる凸部２０２が形成されている。また、これらの凹部２０１と凸部２０２の中間部分は、ガイド板１５の位置決め溝１５１の周囲に当接してガイド板１５を支持する支持部２０３が延設されている。
【００３１】
かかる固定部材２０は、ステンレス、各種鋼材、硬質塩化ビニル樹脂等の硬質材料から形成されていることが好ましい。このように固定部材２０をスリット１２１に装着することにより、ガイド板１５と空気芯筒１２との固定部におけるがたつきを防止するとともに、ガイド板１５の汎用性を一層高めることができる。
【００３２】
以上のように構成された縦管１においては、図示しない下水管よりマンホール内に進入する下水Ｍは、流入管から縦管本体１１内に流入する。このとき、螺旋案内路１３の上方には空気芯筒１２に沿ってガイド板１５が設けられているので、下水Ｍを縦管本体１１の内周に沿う一方向のみに旋回させながら流下させることができる。また、ガイド板１５に装着された弾性部材１６は、縦管本体１１の内周面との間に摩擦抵抗を生じるので、下水Ｍの流入エネルギーを受けてもガイド板１５を回転しないようにさせることができる。こうして下水Ｍは矢符A方向に流れるとともに、騒音、臭気等の発生が抑制された状態で、ガイド板１５の下方に配設されている螺旋案内路１３の旋回方向に沿って円滑に流動するようになる。
【００３３】
また、上記のようなガイド板１５を、スリット１２１から空気芯筒１２の内側に差し込む嵌入代によって、その設置幅Ｗを調整可能に構成されているので、空気芯筒１２の側部に設けるガイド板１５を、縦管本体１１の大きさに応じて個別に生産しなくても、複数種類の管径を有する縦管本体１１に対して共通のガイド板１５を用いることができ、製造コストを低廉化し、作業手間を軽減して加工時間の短縮化を図ることが可能になる。
【産業上の利用可能性】
【００３４】
本発明は、下水道において下水全量を流下させることのできる高落差接合のマンホールに設置する螺旋案内路式ドロップシャフトの縦管に好適に利用することができる。
【図面の簡単な説明】
【００３５】
【図１】本発明に係る螺旋案内路付き縦管の一例を示す部分断面図である。
【図２】図１に示すＸ−Ｘ線断面図である。
【図３】本発明の縦管における空気芯筒およびガイド板を示す側面図である。
【図４】本発明の縦管における空気芯筒とガイド板との固定部を示す部分断面図である。
【符号の説明】
【００３６】
１      下水道用縦管
１１    縦管本体
１２    空気芯筒
１２１  ガイド板用スリット
１３    螺旋案内路
１３１  案内板
１４    流入管
１５    ガイド板
１５１  位置決め溝
２０    固定部材
２０１  凹部
２０２  凸部
２０３  支持部
【図１】
2007113236.tif 000003
【図２】
2007113236.tif 000004
【図３】
2007113236.tif 000005
【図４】
2007113236.tif 000006